(57)【要約】【課題】封入式遊技台と台間機の間が高いセキュリティで通信接続されている遊技ユニットおよび遊技システムを提案すること。【解決手段】遊技システム１の遊技ユニット２は、遊技玉が遊技機筺体の外部に払い出されることなく遊技が行われる封入式遊技台５と、封入式遊技台５における遊技玉の貸出制御を行う台間機６を有している。封入式遊技台５には遊技台側通信用ＩＣチップ２９が搭載されており、台間機６には台間機側通信用ＩＣチップ１９が搭載されている。封入式遊技台５と台間機６の間の情報の送受は遊技台側通信用ＩＣチップ２９と台間機側通信用ＩＣチップ１９との間の通信によって行われる。封入式遊技台５と台間機６の間が複数本のケーブル配線による通信回線によって接続されている場合に比べて外部から通信情報に対する不正が行われにくく、封入式遊技台５の不正な入れ替えの監視も確実に行うことが可能になる。【選択図】図１
2011224255.tif 000002
【特許請求の範囲】
【請求項１】
遊技媒体が遊技機筺体の外部に払い出されることなく遊技が行われる封入式遊技台と、
前記封入式遊技台に対して遊技媒体の貸出制御を行う台間機と、
前記封入式遊技台に搭載されている遊技台側通信用ＩＣチップと、
前記台間機に搭載されている台間機側通信用ＩＣチップとを有し、
前記封入式遊技台および前記台間機の間の情報の送受は、前記遊技台側通信用ＩＣチップと前記台間機側通信用ＩＣチップとの間の通信によって行われることを特徴とする遊技ユニット。
【請求項２】
請求項１において、
前記遊技台側通信用ＩＣチップは、前記台間機側通信用ＩＣチップとの間の通信を確立するための認証用の第１鍵情報、および、前記封入式遊技台を特定するための第１遊技台固有情報を記憶保持しており、
前記台間機側通信用ＩＣチップは、前記遊技台側通信用ＩＣチップとの間の通信を確立するための認証用の第２鍵情報、および、前記台間機に割り当てられている前記封入式遊技台を特定するための第２遊技台固有情報を記憶保持しており、
前記遊技台側通信用ＩＣチップおよび前記台間機側通信用ＩＣチップは、通信確立時にそれぞれが記憶保持している前記第１鍵情報および前記第２鍵情報を用いて相互認証を行い、相互認証後に前記遊技台側通信用ＩＣチップは前記第１遊技台固有情報を前記台間機側通信用ＩＣチップに送信し、前記台間機側通信用ＩＣチップは受信した前記第１遊技台固有情報と前記第２遊技台固有情報との照合を行うことを特徴とする遊技ユニット。
【請求項３】
請求項２において、
前記遊技台側通信用ＩＣチップと前記台間機側通信用ＩＣチップの間の通信データは暗号化された通信データであることを特徴とする遊技ユニット。
【請求項４】
複数組の遊技ユニットと、
前記遊技ユニットのそれぞれを管理するコンピュータからなる管理装置と、
前記遊技ユニットのそれぞれと前記管理装置との間を繋ぐ通信回線とを有し、
前記遊技ユニットは請求項２または３に記載の遊技ユニットであり、
前記管理装置において、前記遊技ユニットのそれぞれにおける前記相互認証および前記照合を含む通信状態を監視することを特徴とする遊技システム。
【発明の詳細な説明】
【技術分野】
【０００１】
本発明は、遊技玉などの遊技媒体が外部に払い出されることなく遊技が行われる封入式遊技台と、この封入式遊技台に対する遊技媒体の貸出制御を行う台間機との間が高いセキュリティで接続されている遊技ユニットおよび遊技システムに関する。
【背景技術】
【０００２】
遊技台、例えばパチンコ台としては、特許文献１に記載されている封入式パチンコ遊技機が知られている。ここに記載のパチンコ遊技機は、隣接する台間機においてプリペイドカード等によって遊技者に遊技玉の貸出が行われると、貸し出された遊技玉数を持玉数として記録し、遊技機内部に貯留されている遊技玉を用いて遊技を行わせる。遊技中においては、持玉数に対して、使用玉数が減算されると共に入賞による獲得玉数が加算されて残玉数が算出表示されるのみであり、獲得した遊技玉が実際に払い出されることはない。パチンコ遊技機の内部には所定量の遊技玉が保持されており、これらを遊技台内で循環させて遊技を行わせるようになっている。
【０００３】
このような封入式遊技台では、入賞玉の払出などが行われないので、遊技媒体の紛失、例えば、払い出された遊技媒体が床に落下する、遊技者が遊技媒体を持ち帰るなどのおそがなく、遊技媒体の貸出、払出、回収の管理を正確に行うことができる。
【先行技術文献】
【特許文献】
【０００４】
【特許文献１】特開２００２−９０７号公報
【発明の概要】
【発明が解決しようとする課題】
【０００５】
ここで、封入式遊技台と台間機の間は、一般に複数本のケーブル配線からなるパラレル通信回線を介して接続されており、遊技者の持玉情報、残玉情報、遊技台での遊技状況などの情報がパラレルのパルス信号によって交換されるようになっている。例えば、遊技終了後には残玉情報が遊技台から台間機に送信され、遊技者のプリペイドカードの持玉情報が更新され、プリペイドカードの持玉情報に基づき景品交換などが行われる。遊技者の持玉、残玉などが現物ではなく情報としてのみ管理されるので、例えば、封入式遊技台と台間機の通信経路への不正アクセスにより残玉情報の改竄が行われてしまうと、そのような不正行為を見破ることが困難である。
【０００６】
したがって、封入式遊技台と台間機の間の通信回線上において不正行為が行われないようにセキュリティを強化することが望ましい。また、封入式遊技台の不正な入れ替えが行われた場合に、そのような不正な入れ替えを台間機の側において監視できるようにすることが望ましい。
【０００７】
しかしながら、従来の封入式遊技台と台間機の間は、それらの間の通信開始時、例えば、電源投入時に通信相手が正当であるか否かの認証処理が行われているのみであり、十分なセキュリティが備わっていないのが実情である。
【０００８】
本発明の課題は、この点に鑑みて、封入式遊技台と台間機の間の間が高いセキュリティで通信接続されている遊技ユニットおよび遊技システムを提案することにある。
【課題を解決するための手段】
【０００９】
上記の課題を解決するために、本発明の遊技ユニットは、
遊技媒体が遊技機筺体の外部に払い出されることなく遊技が行われる封入式遊技台と、
前記封入式遊技台に対する遊技媒体の貸出制御を行う台間機と、
前記封入式遊技台に搭載されている遊技台側通信用ＩＣチップと、
前記台間機に搭載されている台間機側通信用ＩＣチップとを有し、
前記封入式遊技台および前記台間機の間の情報の送受は、前記遊技台側通信用ＩＣチップと前記台間機側通信用ＩＣチップとの間の通信によって行われることを特徴としている。
【００１０】
本発明では、通信用ＩＣチップを封入式遊技台および台間機の双方に搭載し、これら封入式遊技台と台間機の間における情報の送受を通信用ＩＣチップ間の通信により行っている。ケーブル配線による通信網に比べて通信用ＩＣチップ間の通信形態は所謂、クローズトな形態で行われるので、外部から通信情報に対する不正が行われにくく、セキュリティを高めることができる。
【００１１】
ここで、本発明の遊技ユニットでは、上記構成に加えて、
前記遊技台側通信用ＩＣチップは、前記台間機側通信用ＩＣチップとの間の通信を確立するための認証用の第１鍵情報、および、前記封入式遊技台を特定するための第１遊技台固有情報を記憶保持しており、
前記台間機側通信用ＩＣチップは、前記遊技台側通信用ＩＣチップとの間の通信を確立するための認証用の第２鍵情報、および、前記台間機に割り当てられている前記封入式遊技台を特定するための第２遊技台固有情報を記憶保持しており、
前記遊技台側通信用ＩＣチップおよび前記台間機側通信用ＩＣチップは、通信確立時にそれぞれが記憶保持している前記第１鍵情報および前記第２鍵情報を用いて相互認証を行い、相互認証後に前記遊技台側通信用ＩＣチップは前記第１遊技台固有情報を前記台間機側通信用ＩＣチップに送信し、前記台間機側通信用ＩＣチップは受信した前記第１遊技台固有情報と前記第２遊技台固有情報との照合を行うことを特徴としている。
【００１２】
封入式遊技台と台間機の間で通信を確立する際には相互認証を行うと共に、台間機の側においては接続先の封入式遊技台の固有情報の照合も行うようにしている。したがって、台間機に接続されている封入式遊技台が不正に入れ替えられている場合においても、そのような不正を台間機の側で確実に監視できる。
【００１３】
また、本発明の遊技ユニットでは、前記遊技台側通信用ＩＣチップと前記台間機側通信用ＩＣチップの間の通信データは暗号化された通信データであることを特徴としている。通信データを暗号化することにより、セキュリティを一層高めることができる。
【００１４】
一方、本発明の遊技システムは、
複数組の遊技ユニットと、
前記遊技ユニットのそれぞれを管理するコンピュータからなる管理装置と、
前記遊技ユニットの前記台間機のそれぞれと前記管理装置との間を繋ぐ通信回線とを有し、
前記遊技ユニットは上記構成の遊技ユニットであり、
前記管理装置において、前記遊技ユニットのそれぞれにおける前記相互認証および前記照合を含む通信状態を監視することを特徴としている。
【発明の効果】
【００１５】
本発明では、封入式遊技台と台間機のそれぞれに通信用ＩＣチップを搭載し、これら封入式遊技台と台間機の間の情報の送受を、これら通信用ＩＣチップ間の通信により行うようにしている。したがって、従来のような複数本のケーブル配線を介してのオープンな通信経路に比べてセキュリティを高めることができ、通信情報の改竄を防止でき、不正な封入式遊技台の入れ替えなどを確実に見つけることができる。
【図面の簡単な説明】
【００１６】
【図１】本発明を適用した遊技システムの概略構成図である。
【図２】図１の遊技システムにおける１組の遊技ユニットの制御系を示す概略ブロック図である。
【図３】封入式遊技台および台間機に搭載されている通信用ＩＣチップの概略ブロック図である。
【図４】遊技ユニットにおける通信動作を示す動作説明図である。
【発明を実施するための形態】
【００１７】
以下に、図面を参照して本発明を適用した遊技システムの実施の形態を説明する。
【００１８】
図１は本実施の形態に係る遊技システムを示す概略構成図である。遊技システム１は、複数組の遊技ユニット２と、これらの遊技ユニット２に中継器３を介して接続されている管理コンピュータ４とを備えている。各遊技ユニット２は、封入式遊技台５（例えば封入式パチコン台）と、当該封入式遊技台５で遊技を行うために必要な遊技媒体である遊技玉の貸出制御を行う台間機６とを備えている。通常は、パチンコ店などの遊技店には、複数組の遊技ユニット２が配列された遊技島が複数列配置されており、これらの遊技ユニット２が管理コンピュータ４によって一括管理される。管理コンピュータ４はＬＡＮあるいはインターネットなどの公衆回線を介して、複数の遊技店を管理する管理センターのサーバー７に接続されている。
【００１９】
図２は一つの遊技ユニット２の制御系を中心に示す概略ブロック図である。図１および図２を参照して台間機６および封入式遊技台５の構成を説明する。
【００２０】
まず、台間機６はその前面に配置された紙幣挿入口１１を備えている。封入式遊技台５で遊技を行うために必要な遊技玉の貸出を受けるための遊技用カード、例えば、プリペイドカード１２の発行を希望する遊技者は、当該紙幣挿入口１１から紙幣を挿入する。挿入された紙幣は台間機内蔵の紙幣識別機１３によって識別される。台間機６の各部の制御を司る台間機制御装置１４は、内蔵のカードストッカー１５から新たなプリペイドカード１０を取り出して、挿入された紙幣の額に対応する度数（有価価値情報）を内蔵のカードリーダ・ライター１６によって書き込ませる。しかる後に、当該プリペイドカード１２を台間機前面の下側の部位に配置されているカード挿入口１７から発行する。
【００２１】
封入式遊技台５において遊技を行う遊技者は、台間機６のカード挿入口１７からプリペイドカード１２を挿入する。挿入されたプリペイドカード１２からは、内蔵のカードリーダ・ライター１６によって、そこに担持されている度数（持玉情報）が読みだされる。遊技者が台間機前面に配置されている操作部１８を介して遊技玉の貸出数量を入力すると、台間機制御装置１４は、入力された数量の遊技玉の貸出処理を行い、プリペイドカード１２の度数を、貸し出される遊技玉の数量を減算した値に更新し、隣接の封入式遊技台５に対して遊技玉の貸出指令を出す。
【００２２】
一方、封入式遊技台５は、遊技盤２１、その下側に配置されたカウンター表示器２２、および、その下側に配置された遊技玉発射用の操作ハンドル２３を備えている。封入式遊技台５の各部の制御を司る遊技台制御装置２４は、台間機６の側から上記の貸出指令を受け取ると、カウンター表示器２２の表示部２２ａ、２２ｂに、プリペイドカード１２に残っている度数および残玉数（貸し出された遊技玉数）を表示する。封入式遊技台５の筺体内部には遊技玉貯留部２５が配置されており、ここから供給される遊技玉を用いて遊技を行うことができる。
【００２３】
すなわち、封入式遊技台５の内部において、遊技玉貯留部２５から遊技玉発射装置２６に払い出される遊技玉を、操作ハンドル２３を操作することにより遊技盤２１に向けて発射して遊技を行うことができる。遊技玉が発射される毎に、カウンター表示器２２の残玉表示部２２ｂに表示されている残玉数が１ずつ減算される。また、遊技中において入賞により獲得した獲得玉は、その払出が実際には行われず、代わりに、カウンター表示器２２の残玉数に獲得玉数が加算される処理が行われる。
【００２４】
ここで、図２に示すように、封入式遊技台５には通信用ＩＣチップ２９（遊技台側通信用ＩＣチップ）が搭載されており、これが遊技台制御装置２４に接続されている。同様に、台間機６にも通信用ＩＣチップ１９（台間機側通信用ＩＣチップ）が搭載されており、これが台間機制御装置１４に接続されている。封入式遊技台５と台間機６の間の情報の送受は、これら通信用ＩＣチップ１９、２９の間の通信により行われる。例えば、双方の通信用ＩＣチップ１９、２９は非接触型のものであり、無線通信により情報の送受が行われる。
【００２５】
図３は通信用ＩＣチップ１９、２９の概略ブロック図である。台間機６の側の通信用ＩＣチップ１９には、ＣＰＵ３１、ＲＯＭ３２、ＲＡＭ３３、不揮発性メモリ例えばＥＥＰＲＯＭ３４および無線通信用の送受信部３５が搭載されており、これらが制御バスおよびデータバスを含む内部バス３６によって接続されている。
【００２６】
ＥＥＰＲＯＭ３４には、当該通信用ＩＣチップに対して製造時に割り当てられたチップ識別情報であるチップＩＤ３７、当該通信用ＩＣチップが搭載されている台間機６を識別するための台間機ＩＤ３８、当該台間機６に割り当てられている封入式遊技台５を識別するための遊技台ＩＤ３９、認証用の鍵情報４０を含む情報が記憶保持されている。ＲＯＭ３２には認証用プログラムおよびデータ暗号化用プログラムを含む通信制御プログラムが記憶保持されており、ＣＰＵ３１は台間機制御装置１４の制御の下に、通信制御プログラムを実行して、封入式遊技台５の通信用ＩＣチップ２９との間で通信を行う。
【００２７】
封入式遊技台５に搭載されている通信用ＩＣチップ２９も同様に構成されており、ＣＰＵ４１、ＲＯＭ４２、ＲＡＭ４３、不揮発性メモリ例えばＥＥＰＲＯＭ４４および無線通信用の送受信部４５が搭載され、これらが制御バスおよびデータバスを含む内部バス４６によって接続されている。
【００２８】
ＥＥＰＲＯＭ４４には、当該通信用ＩＣチップに対して製造時に割り当てられたチップ識別情報であるチップＩＤ４７、当該通信用ＩＣチップが搭載されている封入式遊技台５を識別するための遊技台ＩＤ４８、当該封入式遊技台５に割り当てられている台間機６を識別するための台間機ＩＤ４９、認証用の鍵情報５０を含む情報が記憶保持されている。ＲＯＭ４２には認証用プログラムおよびデータ暗号化用プログラムを含む通信制御プログラムが記憶保持されており、ＣＰＵ４１は遊技台制御装置２４の制御の下に、通信制御プログラムを実行して、台間機６の通信用ＩＣチップ１９との間で通信を行う。
【００２９】
ここで、封入式遊技台５と台間機６の間で送受される情報には例えば次のものがある。
（台間機６から封入式遊技台５に送信される情報の例）
通信確立のための鍵情報
遊技玉の貸出玉数
プリペイドカードの残り度数
（封入式遊技台５から台間機６に送信される情報の例）
通信確立のための鍵情報
封入式遊技台の遊技台ＩＤ
遊技玉計数情報（残り玉数）
遊技情報（大当たり、小当たり、動作情報等）
音情報（デジタル信号Ｌ／Ｒ）
振動情報（左右、上下、大中小レベル）
画像情報（デジタル画像情報）
光情報（左右、上下、ＲＧＢ信号）
香り情報（風吹き出し、香り放出）
【００３０】
次に、図４は封入式遊技台５と台間機６の間の通信動作例を示す動作説明図である。この図を参照して説明すると、まず電源立ち上げ時においては、封入式遊技台５と台間機６の間の通信確立動作が行われる。双方の通信用ＩＣチップ１９、２９から呼び出しにより双方の通信が確立すると（矢印Ａ１、Ａ２）、認証処理が行われる（矢印Ａ３、Ａ４）。認証処理においては、例えば、封入式遊技台５の側から共通鍵を台間機６の側に送信し、この共通鍵を秘密鍵で暗号化した暗号データを台間機６の側に送信する。台間機６の側においては、共通鍵の暗号データを受信し、暗号データを公開鍵で復号化し、共通鍵と照合する。照合が取れた場合には、台間機６の側から共通鍵を送信すると共に、この共通鍵を秘密鍵で暗号化した暗号データを封入式遊技台５の側に送信する。封入式遊技台５の側では、受信した暗号データを公開鍵で復号化して共通鍵と照合する。照合結果は台間機６から管理コンピュータの側に転送される。
【００３１】
認証が取れた後には、封入式遊技台５の側から遊技台セキュリティ情報が台間機６に送信される（矢印Ａ５）。送信情報は暗号化されて暗号データとして送信される。遊技台セキュリティ情報には、遊技台ＩＤ４８および台間機ＩＤ４９が含まれている。台間機６の側においては、受信した遊技台セキュリティ情報に基づき台間機６と封入式遊技台５の整合性を判断し、封入式遊技台５が不正に入れ替わっていないかなどを確認する。すなわち、受信した遊技台ＩＤ４８を記憶保持されている遊技台ＩＤ３９と照合し、受信した台間機ＩＤ４９を記憶保持している台間機ＩＤ３８と照合する。照合結果は台間機６から管理コンピュータの側に転送され、管理コンピュータにおいて各遊技ユニットの状態が一括管理（監視）される。
【００３２】
次に、遊技者が封入式遊技台５で遊技を行うためにプリペイドカード１２を台間機６のカード挿入口に挿入し、貸出玉数を入力すると、貸出要求（払出要求）としての遊技玉貸出情報（プリペイドカードの残り度数、貸出玉数）が台間機６の側から封入式遊技台５に送信される（矢印Ａ６）。封入式遊技台５の側では、これらの情報を受け取ると、遊技者による遊技が可能な状態になる。
【００３３】
遊技中においては、封入式遊技台５におけるカウンター表示器に表示されている遊技玉情報が台間機６の側に送信される（矢印Ａ７）。また、遊技台情報１（大当たり情報、獲得玉情報など）が台間機６に送信され、当該情報は台間機６から管理コンピュータの側に転送される（矢印Ａ８）。さらに、音、画像などの遊技台情報２も台間機６に送信される。
【００３４】
以上説明したように、封入式遊技台５と台間機６の間の通信は、通信用ＩＣチップ１９、２９同士が行うので、封入式遊技台５の遊技台制御装置および台間機６の台間機制御装置の側は通信経路の認証や暗号を意識することなくデータの送受信を行うことができる。また、遊技台制御装置および台間機制御装置の間で直接に通信が行われないので、通信インターフェースの使用をブラックボックス化（クローズド化）することができるので、双方の間の通信のセキュリティを高めることができる。
【００３５】
さらに、双方の間で通信を開始する前に相互認証を行っているので、通信用ＩＣは相互のなりすましを防止できる。
【００３６】
さらには、通信データを暗号化しているので、通信用ＩＣチップ間の通信経路への不正侵入を確実に防止できる。
【００３７】
また、封入式遊技台５の側の通信用ＩＣチップは、通信開始時に封入式遊技台５のＩＤ（シリアルナンバーなどの固有の情報）を送信し、台間機側の通信用ＩＣチップの側において受信したＩＤを照合しているので、台間機の側において封入式遊技台の不正な入れ替え等を監視することができる。よって、遊技ユニットおよび遊技システムのセキュリティを高めることができる。
【００３８】
（その他の実施の形態）
なお、上記の実施の形態においては説明を簡単にするために、プリペイドカードを用いた場合を例に挙げて説明した。遊技用カードとしては会員カードも知られており、会員カードを用いる場合にも本発明を同様に適用できる。さらに、現金を用いて遊技玉の貸出が行われる場合もあり、このような場合も本発明を同様に適用できる。
【００３９】
また、上記の実施の形態は、遊技媒体として遊技玉（パチンコ玉）を用いる場合の例であるが、本発明は、メダルなどの他の形態の遊技媒体を使用した遊技台を用いる場合にも同様に適用可能である。
【００４０】
さらに、上記の実施の形態では、封入式遊技台５に搭載された通信用ＩＣチップ１９と台間機６に搭載された通信用ＩＣチップ２９と間で無線通信により情報の送受が行われる。この代わりに通信用ＩＣチップ１９、２９の間で有線通信により情報の送受を行うようにしてもよい。この場合には、通信用ＩＣチップ１９、２９のそれぞれに複数の通信用ポートを設け、これらの通信用ポート群の間を配線接続して、通信用ＩＣチップ１９、２９の間で有線通信を行うように構成すればよい。
【符号の説明】
【００４１】
１  遊技システム
２  遊技ユニット
３  中継器
４  管理コンピュータ
５  封入式遊技台
６  台間機
７  サーバー
１１  紙幣挿入口
１２  プリペイドカード
１３  紙幣識別機
１４  台間機制御装置
１５  カードストッカー
１６  カードリーダ・ライター
１７  カード挿入口
１８  操作部
１９  通信用ＩＣチップ
２１  遊技盤（演出機構）
２２  カウンター表示器
２２ａ、２２ｂ  表示部
２３  操作ハンドル
２４  遊技台制御装置
２５  遊技玉貯留部
２６  遊技玉発射装置
２９  通信用ＩＣチップ
３１、４１  ＣＰＵ
３２、４２  ＲＯＭ
３３、４３  ＲＡＭ
３４、４４  ＥＥＰＲＯＭ
３５、４５  送受信部
３６、４６  内部バス
３７、４７  チップＩＤ
３８、４９  台間機ＩＤ
３９、４８  遊技台ＩＤ
４０、５０  鍵情報
【図１】
2011224255.tif 000003
【図２】
2011224255.tif 000004
【図３】
2011224255.tif 000005
【図４】
2011224255.tif 000006